(57)【特許請求の範囲】
【請求項１】
デッキ材の両側縁に設けられた取付部を用い、該取付部を上方から押さえつけて固定する押圧部を備えた取付金具をデッキ材間で根太材に取り付け、根太材と直交させてデッキ材を取り付ける取付構造であって、根太材の上面には根太材の延設方向に凹溝が設けられ、前記取付金具は両手鍋形状の断面形状を備え、該両手鍋形状の鍋掴み部分が押圧部、鍋底部分が底面部、鍋側壁部分が側壁部となされ、該底面部及び側壁部により形成された凸部の幅が前記凹溝の幅より稍々小さくなされて凹溝に嵌着可能となされると共に、前記底面部と前記凹溝の底面とが締結手段に締結されるようになされ、且つ前記取付金具の両側に形成された押圧部のうち、一方の押圧部にはデッキ材の取付部に食い込む突起部が下方に向けて突設されると共に、もう一方の押圧部には前記突起部は形成されていないことを特徴とするデッキ材の取付構造。
【発明の詳細な説明】
【技術分野】
【０００１】
本発明は、遊歩道や公園施設において設置されるベンチやテーブル，八ツ橋，ボードウォークの他、競技場観覧席、或いはベランダやテラスの直貼り式デッキにおいて、仕上材として使用される合成樹脂、合成木材、天然木材製のデッキ材を根太材に固定するためのデッキ材の固定構造に関するものである。
【背景技術】
【０００２】
デッキ材を根太材に取り付ける構造としては、デッキ材の間にデッキ材の一部を嵌着可能な取付金具を取り付け、一方のデッキ材を取付金具にて固定してから他方のデッキ材を根太材上を滑らせて取付金具に嵌着し、更に取付金具を取り付けることで、順次デッキ材を根太材上に固定して行く方法が、工程が簡便で、デッキ材の取り付けが確実に行われることからよく用いられてきている。
【０００３】
この様な方法によるデッキの固定構造としては、例えば床面を形成する複数本の長尺床材が一定間隔を隔てて構造体上に敷設され、各長尺床材が、夫々隣接する長尺床材間においてデッキ固定部材により連結されるとともに構造体に固定されてなるデッキであって、前記長尺床材には、その板傍に上縁部と当該長尺床材の下面に水平な下縁部とを有する連結溝が設けられ、前記デッキ固定部材には、一定間隔を隔てて隣接する前記長尺床材間に嵌まるとともに前記構造体と接合する突起部と、前記長尺床材の下縁部を下方に押圧して隣接する長尺床材を連結する押圧部とが設けられ、前記突起部の突起方向の長さは、前記長尺床材の下面から下縁部への高さよりも短く設定されているデッキが開示されている（例えば特許文献１）。
【０００４】
【特許文献１】特開２００４−２７７２４号公報
【発明の開示】
【発明が解決しようとする課題】
【０００５】
しかしながら、特許文献１に記載のような従来のデッキ材の取付構造では、取付金具が一体のビスによって固定されていることから、デッキ材をビス止めする際にビスを中心に取付金具が回転して位置が定まらず、施工性が良くないものとなっていた。またビス止めを複数箇所にしてそのような回転を防止しようとすれば、言うまでもなく作業が繁雑なものとなる。
【０００６】
本発明は上記の如き課題に鑑みてなされたものであり、デッキ材への取付金具の取り付けにおいて、施工性が改善されたデッキ材の取付構造を提供せんとするものである。
【課題を解決するための手段】
【０００７】
上記目的を達成するため、本発明は以下のような構成としている。すなわち、本発明に係わるデッキ材の取付構造は、デッキ材の両側縁に設けられた取付部を用い、該取付部を上方から押さえつけて固定する押圧部を備えた取付金具をデッキ材間で根太材に取り付け、根太材と直交させてデッキ材を取り付ける取付構造であって、根太材の上面には根太材の延設方向に凹溝が設けられ、前記取付金具は両手鍋形状の断面形状を備え、該両手鍋形状の鍋掴み部分が押圧部、鍋底部分が底面部、鍋側壁部分が側壁部となされ、該底面部及び側壁部により形成された凸部の幅が前記凹溝の幅より稍々小さくなされて凹溝に嵌着可能となされると共に、前記底面部と前記凹溝の底面とが締結手段に締結されるようになされ、且つ前記取付金具の両側に形成された押圧部のうち、一方の押圧部にはデッキ材の取付部に食い込む突起部が下方に向けて突設されると共に、もう一方の押圧部には前記突起部は形成されていないことを特徴とするものである。
【０００８】
本発明に係わるデッキ材の取付構造によれば、取付金具の凸部が根太材の凹溝に嵌着されることで、凸部の底面部と凹溝の底面とが締結手段により締結する際に、凹溝に嵌着された凸部の側壁部が凹溝の側面に当たって取付金具が回転することが抑えられ、一体の締結手段のみを用いた場合においてもデッキ材への取付金具の取り付けにおける施工性は改善されたものとなり得る。
【発明の効果】
【０００９】
本発明に係わるデッキ材の取付構造によれば、取付金具の凸部が根太材の凹溝に嵌着されることで、凸部の底面部と凹溝の底面とが締結手段により締結する際に、凹溝に嵌着された凸部の側壁部が凹溝の側面に当たって取付金具が回転することが抑えられ、一体の締結手段のみを用いた場合においてもデッキ材への取付金具の取り付けにおける施工性は改善されたものとなり得る。
【発明を実施するための最良の形態】
【００１０】
本発明に係わる最良の実施の形態について、図面に基づき以下に具体的に説明する。
【００１１】
図１は、本発明に係わるデッキ材の取付構造に用いられる取付金具の、実施の一形態を示す下方からの斜視図である。取付金具１は、両手鍋形状の断面形状を備え、該両手鍋形状の鍋掴み部分が押圧部１１、鍋底部分が底面部１２、鍋側壁部分が側壁部１３となされ、底面部１２にはビス孔１４が穿設されている。底面部１２及び側壁部１３によって、押圧部１１から下方に突出して凸部１５が形成されている。押圧部１１の一方には、突起部１６が下方に向けて突設されている。
【００１２】
図２は、取付金具１を根太材２に嵌着した状態を示す側面図である。根太材２の上面２２には、根太材２の延設方向に連続して断面矩形の凹溝２１が形成され、凹溝２１に取付金具１の凸部１５が嵌着されている。ここで凸部１５の幅ａは凹溝２１の幅より稍々小さくなされることで、上方から凹溝２１に容易に嵌着可能となされている。凸部１５が嵌着された状態で、底面部１２に設けられたビス孔１４にビスである締結手段Ｂが挿通され、凹溝２１の底面に締結されるようになされている。ここで更に、凸部１５の突出深さｃが、凹溝２１の深さｄと略同一となされていれば、底面部１２の締結手段Ｂの締結における作業性を損なうことなく、取付金具１が根太材２上でがたつくことを防ぐようにでき好ましい。
【００１３】
図３は、取付金具１の一方の押圧部１１に対するデッキ材の取り付けを示す斜視図である。根太材２の凹溝２１に凸部１５が嵌入された状態で、取付金具１の突起部１６が設けられた側の押圧部１１に対してデッキ材３が取り付けられる。ここでデッキ材３の側面３３には、取付部３１と、取付部３１より上方に上面部３２とが突出して設けられており、取付部３１は側面３３から平板状に突出された板状部３１１と、板状部３１１の先端に設けられ上下方向の高さが板状部３１１より大きくなされた隆起部３１２とから形成されている。尚、取付部３１及び上面部３２は、デッキ材３の両側縁にそれぞれ全幅に亘って設けられているものである。上面部３２は取付部３１と同じ方向に平板状に突出され、且つ突出長さが取付部３１より長くなされていることで、デッキ材３が取り付けられた状態で、取付金具１や締結手段Ｂ、及び取付部３１が上方から隠されるようになされている。
【００１４】
ここで、取付金具１の凸部の幅が、根太材２の凹溝２１の幅より稍々小さくなされていることで、取付金具１が平面方向に回動する方向Ｙに動こうとすると、凹部１５の側壁部１２が凹溝２１の内面に当たることで方向Ｙに回動することが抑えられ、デッキ材３の取り付け時において取付金具１が回転しないことで施工性が高められる。
【００１５】
また根太材２の延設方向βと、デッキ材３の延設方向αとは直交され、デッキ材３は根太材２の上面２２を滑って移動させることができるようになされており、デッキ材３の取付部３１を取付金具１の押圧部１１と根太材２との間に挟んで締結手段Ｂを締結すると、押圧部１１に設けられた突起部１６が取付部３１の板状部３１１に食い込んで、押圧部１１の押圧力と共に突起部１６の食い込み力とが相俟って、デッキ材３は強固に固定されることとなる。
【００１６】
更に取付金具１には、図４に示す如くデッキ材が取り付けられる。突起部１６が設けられた側の押圧部１１にデッキ材３Ａが取り付けられ、締結手段Ｂが締結した後、他方の押圧部１１に別のデッキ材３Ｂが取り付けられる。デッキ材３Ｂの側縁にも取付部３１が設けられ、根太材２の上面２２を滑らせて隆起部３１２を押圧部１１と上面２２との間に押し込むことで、一方の取付部３１が取付金具１に固定される。締結手段Ｂの締結時のみならず、隆起部３１２の押し込み時にも凸部１５により取付金具１の回転が抑えられ、施工性の向上が図られる。またデッキ材３Ｂの他方の取付部３１について、デッキ材３Ａの場合と同様に突起部１６が形成された押圧部１１に固定することで、デッキ材３Ｂの両側縁が取付金具１により固定され、デッキ材３Ｂが根太材２に強固に固定される。かかる取付金具１による固定を繰り返して順次デッキ材３を固定することができる。
【００１７】
図５は、取付金具１により固定されたデッキ材３の状態を示す、上面部３２を省略した平面図である。底面部１２及び側壁部１３により形成された凸部１５が、根太材２の凹溝２１より稍々幅狭となされていることで、凸部１５が上方から容易に凹溝２１に嵌着することができると共に、凸部１５が凹溝２１内で回転できないようになされ、取付金具１の押圧部１１の方向が根太材２と直交する方向のみに向くようになされている。従って、デッキ材３Ａ及び３Ｂは、取付金具１の押圧部１１を用いて固定するのみで根太材２に対して確実に直交させて取り付けることができる。
【００１８】
締結手段Ｂによる締結は、ビスによるものに限定されず、根太材２の底面２３にねじ孔を螺刻したりナットを用いたりしてボルトによるボルト止めを行ってもよく、また底面２３に下孔を穿設してリベットを用いてリベット止めなどを行うようにしてもよい。
【００１９】
また根太材２には図６に示す如く、取付金具１の底面部１２に設けられたビス孔１４に対応した箇所に、Ｖ字状のビス溝２４が連続して設けられていれば、締結手段Ｂの螺着時に位置合わせの必要がなくなり、また締結手段Ｂがビスである場合には、ねじ込みの初動が軽快なものとなり、更に施工性を向上させることができ好ましい。
【００２０】
根太材２は、凹溝２１が形成可能なものであれば、形成に係わる材料を特に限定するものではなく、天然木材、合成木材、金属材料等を用いて形成してよいが、同一断面を連続して形成することが容易である押出成形による合成樹脂に木粉等を配合した合成木材や、アルミニウム等の金属材料による押出型材などを好適に用いることができる。またデッキ材３についても取付部３１が形成可能なものであれば特に限定されるものではないが、合成樹脂や、合成木材等の軽量で連続した断面が形成可能な材料を好適に用いることができる。
【図面の簡単な説明】
【００２１】
【図１】本発明に係わるデッキ材の取付構造に用いられる取付金具の一例を示す説明図である。
【図２】本発明に係わるデッキ材の取付構造の、実施の一形態を示す縦断面図である。
【図３】本発明に係わるデッキ材の取付構造の、実施の一形態を示す斜視図である。
【図４】本発明に係わるデッキ材の取付構造の、実施の一形態を示す縦断面図である。
【図５】本発明に係わるデッキ材の取付構造の、実施の一形態を示す縦断面図である。
【図６】本発明に係わるデッキ材の取付構造に用いられる根太材の一例を示す側面図である。
【符号の説明】
【００２２】
１    取付金具
１１  押圧部
１２  底面部
１３  側壁部
１５  凸部
２    根太材
２１  凹溝
２２  上面
２３  底面
３    デッキ材
３１  取付部
Ｂ    締結手段
【図１】
0004654139.tif 000002
【図２】
0004654139.tif 000003
【図３】
0004654139.tif 000004
【図４】
0004654139.tif 000005
【図５】
0004654139.tif 000006
【図６】
0004654139.tif 000007